(57)【要約】      （修正有） 【課題】簡易な操作で複数の接続端子用部品をロックできる接続端子用部品の盗難防止装置を提供する。【解決手段】紐体１と、一方の側に紐体を挿通する少なくとも１以上の連結部２１を形成したコネクタ２と、紐体の両端を連結して、紐体をリング状にする連結具３と、紐体を挿通するとともに、連結具が内部に係合する連結部材４と、によって接続端子用部品の盗難防止装置を構成する。【選択図】図１
0003204129.tif 000002
【実用新案登録請求の範囲】
【請求項１】
紐体と、
一方の側に該紐体を挿通する少なくとも１以上の連結部を形成したコネクタと、
該紐体の両端を連結して、該紐体をリング状にする連結具と、
該紐体を挿通するとともに、該連結具が内部に係合する連結部材と、を含んでなることを特徴とする接続端子用部品の盗難防止装置。
【請求項２】
前記連結部材が係合部と筒状部とを含み、該連結具が該係合部内に係合して、該連結具を固定することを特徴とする請求項１に記載の接続端子用部品の盗難防止装置。
【請求項３】
前記筒状部内に少なくとも１以上のパッドを設けることを特徴とする請求項２に記載の接続端子用部品の盗難防止装置。
【請求項４】
前記接続部材の一端に該紐体が連結し、かつ該連結部材の他端にロック溝を形成し、該接続部材がさらに連結溝を具え、該連結溝に該紐体の他端が連結することを特徴とする請求項１に記載の接続端子用部品の盗難防止装置。
【請求項５】
前記紐体に少なくとも１以上の連結体を設け、該連結体の一端が紐体に連結し、かつ他端が接続体に連結することを特徴とする請求項１に記載の接続端子用部品の盗難防止装置。
【考案の詳細な説明】
【技術分野】
【０００１】
この考案は盗難防止装置に関し、特に接続端子用部品であるコネクタ、プラグなどの盗難を防ぐ接続端子用部品の盗難防止装置に関する。
【背景技術】
【０００２】
商品の展示会場は人が多く集まり混雑する。出展する企業は自社の製品の販売促進のためにアピールを行う。この場合、製品に瑕疵のないことを保証する意味においても、会場にサンプルを備え、消費者の試用に供する。消費者が試用した後、コネクタを抜き忘れることがあり、もしくは消費者が故意に持ち去ることもある。だが、企業側は展示会場の人ごみの中で、試用する消費者一人一人にコネクタを返還したか監視することは難しい。このため、展示会が終了したあと、予期せず数十個ものコネクタがなくなっているのに気付くこともある。しかしながら、従来の盗難防止用ロック装置を用いてコネクタ一つ一つをロックすることは不便な作業で、コスト、労力を要する。
【考案の概要】
【考案が解決しようとする課題】
【０００３】
この考案は、簡易な操作で複数の接続端子用部品をロックできる接続端子用部品の盗難防止装置を提供することを課題とする。
【課題を解決するための手段】
【０００４】
そこで、本考案者は接続端子用部品のロック装置に見られる現状に鑑み鋭意研究を重ねた結果、 紐体と、一方の側に該紐体を挿通する少なくとも１以上の連結部を形成したコネクタと、該紐体の両端を連結して、該紐体をリング状にする連結具と、  該紐体を挿通するとともに、該連結具が内部に係合する連結部材と、によって構成する接続端子用部品の盗難防止装置によって課題を解決できる点に着眼し、係る知見に基づいて本考案を完成させた。
【０００５】
以下この考案について説明する。請求項１に記載の接続端子用部品の盗難防止装置は、紐体と、一方の側に該紐体を挿通する少なくとも１以上の連結部を形成したコネクタと、該紐体の両端を連結して、該紐体をリング状にする連結具と、該紐体を挿通するとともに、該連結具が内部に係合する連結部材と、を含んでなる。
【０００６】
請求項２に記載する接続端子用部品の盗難防止装置は、請求項１における連結部材が係合部と筒状部とを含み、該連結具が該係合部内に係合して、該連結具を固定する・
【０００７】
請求項３に記載する接続端子用部品の盗難防止装置は、請求項２における筒状部内に少なくとも１以上のパッドを設ける。
【０００８】
請求項４に記載する接続端子用部品の盗難防止装置は、請求項１における接続部材の一端に該紐体が連結し、かつ該連結部材の他端にロック溝を形成し、該接続部材がさらに連結溝を具え、該連結溝に該紐体の他端が連結する。
【０００９】
請求項５に記載する接続端子用部品の盗難防止装置は、請求項１における紐体に少なくとも１以上の連結体を設け、該連結体の一端が紐体に連結し、かつ他端が接続体に連結する。
【図面の簡単な説明】
【００１０】
【図１】この考案による接続端子用部品の盗難防止装置の斜視図である。
【図２】この考案による接続端子用部品の盗難防止装置の使用態様を示した説明図である。
【図３】この考案による接続端子用部品の盗難防止装置の使用態様を示した他の説明図である。
【図４】この考案における連結部を示した斜視図である。
【図５】この考案における連結部材を示した斜視図である。
【図６】この考案における連結体を示した斜視図である。
【図７】この考案における接続体を示した斜視図である。
【考案を実施するための形態】
【００１１】
この考案は、簡易な操作で複数の接続端子用部品をロックできる接続端子用部品の盗難防止装置を提供するものであって、紐体と、一方の側に該紐体を挿通する少なくとも１以上の連結部を形成したコネクタと、該紐体の両端を連結して、該紐体をリング状にする連結具と、  該紐体を挿通するとともに、該連結具が内部に係合する連結部材と、によって接続端子用部品の盗難防止装置を構成する。係る盗難防止装置の構造と特徴を説明するために、具体的な実施例を挙げ、図面を参照にして以下に詳述する。
【実施例】
【００１２】
図１に、この考案による接続用端子部品の盗難防止装置を開示する。図面の開示によれば、この考案は紐体１と、紐体１の所定の位置に設けた少なくとも１以上のコネクタ２、少なくとも１以上の連結具３、及び少なくとも１以上の連結部材４とを含んでなる。
【００１３】
コネクタ２の一方の側には少なくとも１以上の連結部２１を形成する。連結部２１には紐体１を挿通する。連結具３は紐体１の両端を連結するものであって、紐体１は両端が連結することによってリング状を呈する。連結部材４は紐体１を挿通し、連結具３が連結部材４の内部と係合する。
【００１４】
連結部材４は、係合部４１と筒状部４２とを含み、筒状部４２には内部に少なくとも１以上のパッド５を設ける。
【００１５】
図２に、この考案の使用態様を開示する。図面に開示するように、連結具３は係合部４１内に置き、かつ係合部４１と緊密に係合させることによって、連結具３を紐体１に効率よく固定することができる。
【００１６】
図３に開示するように、連結部材４の筒状部４２はケーブル６に設ける。この場合、パッド５によって筒状部４２とケーブル６との間の摩擦を減少させることができる。
【００１７】
コネクタ２は、ヘッド部がデバイス７に接続し、他端は伝送ケーブル８が接続する。伝送ケーブル８の他端はコンピュータ（図示しない）に接続してコネクタ２が試用できるか、該コンピュータによって測定する。
【００１８】
コネクタ２は、いずれも紐体１が挿通する。よって、紐体１の可動範囲内においてコネクタ２を試用する。このため、盗難を効率よく防ぐことができる。
【００１９】
図４に開示するように、コネクタ２はいずれも連結部２１を有する、連結部２１は縦方向に形成してもよく、横方向に形成してもよい。いずれも紐体１を挿通することで、同様の効果が得られる。
【００２０】
図５に開示するように、連結部材４は一方の側に連結溝４３を形成するとともに、一端にロック溝４４を形成する。
【００２１】
コネクタ２の連結部２１には紐体１を挿通し、紐体１の一端は連結部材４に連結するとともに、他端は連結部材４の連結溝４３に連結する。然る後に、ロック溝４４によって紐体１の他端をロックすることによって紐体１を固定する。このため、盗難防止の効果が得られる。
【００２２】
図６に開示するように、コネクタ２に形成する連結部２１は、連結体９に取り換えてもよい。連結体９の一端は紐体１に連結し、他端は接続体２２に連結する。係る構成によっても同様の効果が得られる。
【００２３】
図７に開示するように、コネクタ２の他端が接続体２２に連結してもよく、この場合も同様の効果が得られる。
【符号の説明】
【００２４】
１紐体
２コネクタ
２１連結部
２２接続体
３連結具
４連結部材
４１係合部
４２筒状部
４３連結溝
４４ロック溝
５パッド
６ケーブル
７デバイス
８伝送ケーブル
９連結体
【図１】
0003204129.tif 000003
【図２】
0003204129.tif 000004
【図３】
0003204129.tif 000005
【図４】
0003204129.tif 000006
【図５】
0003204129.tif 000007
【図６】
0003204129.tif 000008
【図７】
0003204129.tif 000009
【手続補正書】
【提出日】平成28年3月4日(2016.3.4)
【手続補正１】
【補正対象書類名】実用新案登録請求の範囲
【補正対象項目名】請求項４
【補正方法】変更
【補正の内容】
【請求項４】
前記連結部材の一端に該紐体が連結し、かつ該連結部材の他端にロック溝を形成し、該連結部材がさらに連結溝を具え、該連結溝に該紐体の他端が連結することを特徴とする請求項１に記載の接続端子用部品の盗難防止装置。
【手続補正２】
【補正対象書類名】明細書
【補正対象項目名】０００８
【補正方法】変更
【補正の内容】
【０００８】
請求項４に記載する接続端子用部品の盗難防止装置は、請求項１における連結部材の一端に該紐体が連結し、かつ該連結部材の他端にロック溝を形成し、該連結部材がさらに連結溝を具え、該連結溝に該紐体の他端が連結する。